(57)【要約】【課題】宿泊施設が所在する地域の発展に寄与できるとともに、その宿泊施設の部屋を仮想的に所有する全ての人が多くの利益を得ることができる宿泊管理システムを提供する。【解決手段】提供部屋数記憶部１ａは、経営者Ｘ１、Ｘ２、Ｘ３に対してゲストハウス２Ａの本所有者がそれぞれ仮想的に提供する提供部屋数Ｙ１、Ｙ２、Ｙ３を記憶する。予約部屋数演算部１ｂは、提供部屋数Ｙ１、Ｙ２、Ｙ３における日数Ｐの期間の予約数Ｚ１、Ｚ２、Ｚ３をそれぞれ演算する。振分開始判定部１ｃは、ゲストハウス２Ａに対する予約依頼信号Ｃ１〜Ｃ４を受け取った際、予め決められた部屋振分開始状態Ａであるか否かを判定する。予約振分処理部１ｄは、振分開始判定部１ｃが振分開始状態Ａであると判定した際、予約の振分処理を行う一方、振分開始状態Ａでないと判定した際、予約の振分処理を行わないよう構成される。【選択図】図３
2020021475.tif 000002
【特許請求の範囲】
【請求項１】
インターネットを介して受け取る予約依頼信号に基づいて宿泊施設における各部屋の事前予約状態を管理する宿泊管理システムであって、
上記宿泊施設の事前予約において日数Ｐの期間に提供可能な部屋数をＮとした際、上記宿泊施設の本所有者と契約を結んで部屋の仮想的な所有者になる契約部屋所有者Ｘ１、Ｘ２、・・・、Ｘｎに対して上記宿泊施設の本所有者がそれぞれ仮想的に提供し、且つ、上記各契約部屋所有者がそれぞれ所有する情報処理端末により予約を受け取ることが可能な提供部屋の提供部屋数Ｙ１、Ｙ２、・・・、Ｙｎ（Ｎ≧Ｙ１＋・・・＋Ｙｎ）を記憶する提供部屋数記憶部と、
上記各提供部屋数Ｙ１、Ｙ２、・・・、Ｙｎにおける予約数Ｚ１、Ｚ２、・・・、Ｚｎを日数Ｐの期間の初日から順にそれぞれ演算する予約部屋数演算部と、
仮想的に所有する部屋の予約数が予め決められた設定値Ｇ以上になった契約部屋所有者Ｈが存在する状態か、或いは、上記宿泊施設に対する予約依頼信号を上記各契約部屋所有者の情報処理端末を経由せずに直接的に受けた状態である部屋振分開始状態Ａであるか否かを判定する振分開始判定部と、
該振分開始判定部が上記部屋振分開始状態Ａであると判定した際、上記予約部屋数演算部で演算した予約数Ｚ１、Ｚ２、・・・、Ｚｎのうち最低予約数である状態の契約部屋所有者が１人の場合には、当該契約部屋所有者が仮想的に所有する部屋に予約があったものとして上記契約部屋所有者Ｈが所有する予約か、或いは、直接的に上記宿泊施設で受けた予約の振分処理を行う一方、上記予約部屋数演算部で演算した予約数Ｚ１、Ｚ２、・・・、Ｚｎのうち最低予約数である状態の契約部屋所有者が２人以上の場合には、予め決められた優先順位にて選ばれた契約部屋所有者が仮想的に所有する部屋に予約があったものとして上記契約部屋所有者Ｈが所有する予約か、或いは、直接的に上記宿泊施設で受けた予約の振分処理を行い、上記振分開始判定部が上記部屋振分開始状態Ａでないと判定した際、予約の振分処理を行わないよう構成された予約振分処理部とを備えていることを特徴とする宿泊管理システム。
【請求項２】
請求項１に記載の宿泊管理システムにおいて、
上記振分開始判定部は、日数Ｐの期間を経過した際に上記部屋振分開始状態Ａであるか否かを判定するよう構成されていることを特徴とする宿泊管理システム。
【請求項３】
請求項１又は２に記載の宿泊管理システムにおいて、
上記予約振分処理部は、上記宿泊施設に対する予約依頼信号を直接的に受けた際、Ｎ−（Ｙ１＋・・・＋Ｙｎ）＞０の状態であると、予約の振分処理を行わないよう構成されていることを特徴とする宿泊管理システム。
【請求項４】
請求項１から３のいずれか１つに記載の宿泊管理システムにおいて、
上記設定値Ｇには、上記各契約部屋所有者が所望する稼働率がそれぞれ設定されていることを特徴とする宿泊管理システム。
【請求項５】
請求項１から４のいずれか１つに記載の宿泊管理システムにおいて、
上記提供部屋数記憶部は、上記各提供部屋数Ｙ１、Ｙ２、・・・、Ｙｎの一部の部屋を繁忙日用部屋Ｒに設定可能に構成され、
上記振分開始判定部は、上記部屋振分開始状態Ａであるか否かを判定した後、さらに仮想的に所有する部屋の繁忙日用部屋Ｒの予約数が予め決められた設定値Ｇ’以上になった契約部屋所有者Ｈ’が存在する部屋振分開始状態Ｂであるか否かを判定し、
上記予約振分処理部は、上記振分開始判定部が上記部屋振分開始状態Ｂであると判定した際、上記予約部屋数演算部で演算した予約数Ｚ１、Ｚ２、・・・、Ｚｎのうち繁忙日用部屋Ｒが最低予約数である状態の契約部屋所有者が１人の場合には、当該契約部屋所有者が仮想的に所有する繁忙日部屋Ｒに予約があったものとして上記契約部屋所有者Ｈ’が所有する繁忙日部屋Ｒの予約か、或いは、直接的に上記宿泊施設で受けた繁忙日部屋Ｒの予約の振分処理を行う一方、上記予約部屋数演算部で演算した予約数Ｚ１、Ｚ２、・・・、Ｚｎのうち繁忙日用部屋Ｒが最低予約数である状態の契約部屋所有者が２人以上の場合には、予め決められた優先順位にて選ばれた契約部屋所有者が仮想的に所有する繁忙日部屋Ｒに予約があったものとして上記契約部屋所有者Ｈ’が所有する繁忙日部屋Ｒの予約か、或いは、直接的に上記宿泊施設で受けた繁忙日部屋Ｒの予約の振分処理を行い、上記振分開始判定部が上記部屋振分開始状態Ｂでないと判定した際、繁忙日部屋Ｒにおける予約の振分処理を行わないよう構成されていることを特徴とする宿泊管理システム。
【請求項６】
請求項１から５のいずれか１つに記載の宿泊管理システムにおいて、
上記予約振分処理部が予約振分処理を行った際、上記各契約部屋所有者のうちの予約が振り分けられた側の所有者及び振り分ける側の所有者の少なくとも一方の情報処理端末に予約振分処理が行われた通知を行う予約振分通知部を備えていることを特徴とする宿泊管理システム。
【発明の詳細な説明】
【技術分野】
【０００１】
本発明は、インターネットを介して受け取る予約依頼信号に基づいて宿泊施設における各部屋の事前予約状態を管理する宿泊管理システムに関する。
【背景技術】
【０００２】
従来より、例えば、その地域特有の魅力が十分にあるにも関わらず、旅行者の来訪に伸び悩む地域が世界各地に数多く点在していることが一般的に知られている。特に有名な観光都市に隣接する地域においては、宿泊客をそれら有名な観光都市に奪われる可能性が高く、その地域を活性化させるために宿泊施設を新たに建設するといったリスクを冒してまで多大な投資を行うことができないのが現状である。
【０００３】
これに対応するために、例えば、特許文献１に開示されているように、それらの地域に既に存在する宿泊施設を利用して旅行者がその地域に足を運び易くなるようにする方法が考えられる。すなわち、その地域に既に存在する宿泊施設の本所有者と契約を結んで部屋の仮想的な所有者になり、仮想的に所有している部屋に宿泊者が泊まると、宿泊代金の一部をその仮想的な所有者が受け取るような仕組みである。このような仕組みにすることで、その地域から遠く離れた場所に仮想的な所有者が住んでいてもその宿泊施設のある地域をアピールすることで集客力を上げることができる可能性がある。
【先行技術文献】
【特許文献】
【０００４】
【特許文献１】特開平８−２８０２００号公報
【発明の概要】
【発明が解決しようとする課題】
【０００５】
しかし、上述の如き仕組みは、その宿泊施設のある地域の活性化には貢献できる可能性はあるものの、稼働率が上がらない場合には、投資が嵩むという問題は依然として残る。
【０００６】
また、近年では、宿泊施設の部屋の予約はほとんどの場合がインターネットを介して行われ、上述の如き宿泊施設の仮想的な所有者がインターネットを介して受け取る予約依頼信号を実際にどのように処理をするのかということについて特許文献１では何ら記載されていない。
【０００７】
本発明は、懸かる点に鑑みてなされたものであり、その目的とするところは、宿泊施設が所在する地域の発展に寄与できるとともに、その宿泊施設の部屋を仮想的に所有する全ての人が多くの利益を得ることができる宿泊管理システムを提供することにある。
【課題を解決するための手段】
【０００８】
上記の目的を達成するために、本発明は、予約依頼信号を受け取った際、その予約をある条件下に基づいて、宿泊施設の仮想的な各所有者のうちの１人の仮想的に所有する部屋に予約があったものとして振分処理を行うよう構成されていることを特徴とする。
【０００９】
具体的には、インターネットを介して受け取る予約依頼信号に基づいて宿泊施設における各部屋の事前予約状態を管理する宿泊管理システムを対象とし、次のような解決手段を講じた。
【００１０】
すなわち、第１の発明では、上記宿泊施設の事前予約において日数Ｐの期間に提供可能な部屋数をＮとした際、上記宿泊施設の本所有者と契約を結んで部屋の仮想的な所有者になる契約部屋所有者Ｘ１、Ｘ２、・・・、Ｘｎに対して上記宿泊施設の本所有者がそれぞれ仮想的に提供し、且つ、上記各契約部屋所有者がそれぞれ所有する情報処理端末により予約を受け取ることが可能な提供部屋の提供部屋数Ｙ１、Ｙ２、・・・、Ｙｎ（Ｎ≧Ｙ１＋・・・＋Ｙｎ）を記憶する提供部屋数記憶部と、上記各提供部屋数Ｙ１、Ｙ２、・・・、Ｙｎにおける予約数Ｚ１、Ｚ２、・・・、Ｚｎを日数Ｐの期間の初日から順にそれぞれ演算する予約部屋数演算部と、仮想的に所有する部屋の予約数が予め決められた設定値Ｇ以上になった契約部屋所有者Ｈが存在する状態か、或いは、上記宿泊施設に対する予約依頼信号を上記各契約部屋所有者の情報処理端末を経由せずに直接的に受けた状態である部屋振分開始状態Ａであるか否かを判定する振分開始判定部と、該振分開始判定部が上記部屋振分開始状態Ａであると判定した際、上記予約部屋数演算部で演算した予約数Ｚ１、Ｚ２、・・・、Ｚｎのうち最低予約数である状態の契約部屋所有者が１人の場合には、当該契約部屋所有者が仮想的に所有する部屋に予約があったものとして上記契約部屋所有者Ｈが所有する予約か、或いは、直接的に上記宿泊施設で受けた予約の振分処理を行う一方、上記予約部屋数演算部で演算した予約数Ｚ１、Ｚ２、・・・、Ｚｎのうち最低予約数である状態の契約部屋所有者が２人以上の場合には、予め決められた優先順位にて選ばれた契約部屋所有者が仮想的に所有する部屋に予約があったものとして上記契約部屋所有者Ｈが所有する予約か、或いは、直接的に上記宿泊施設で受けた予約の振分処理を行い、上記振分開始判定部が上記部屋振分開始状態Ａでないと判定した際、予約の振分処理を行わないよう構成された予約振分処理部とを備えていることを特徴とする。
【００１１】
第２の発明では、第１の発明において、上記振分開始判定部は、日数Ｐの期間を経過した際に上記部屋振分開始状態Ａであるか否かを判定するよう構成されていることを特徴とする。
【００１２】
第３の発明では、第１又は第２の発明において、上記予約振分処理部は、上記宿泊施設に対する予約依頼信号を直接的に受けた際、Ｎ−（Ｙ１＋・・・＋Ｙｎ）＞０の状態であると、予約の振分処理を行わないよう構成されていることを特徴とする。
【００１３】
第４の発明では、第１から第３のいずれか１つの発明において、上記設定値Ｇには、上記各契約部屋所有者が所望する稼働率がそれぞれ設定されていることを特徴とする。
【００１４】
第５の発明では、第１から第４のいずれか１つの発明において、上記提供部屋数記憶部は、上記各提供部屋数Ｙ１、Ｙ２、・・・、Ｙｎの一部の部屋を繁忙日用部屋Ｒに設定可能に構成され、上記振分開始判定部は、上記部屋振分開始状態Ａであるか否かを判定した後、さらに仮想的に所有する部屋の繁忙日用部屋Ｒの予約数が予め決められた設定値Ｇ’以上になった契約部屋所有者Ｈ’が存在する部屋振分開始状態Ｂであるか否かを判定し、上記予約振分処理部は、上記振分開始判定部が上記部屋振分開始状態Ｂであると判定した際、上記予約部屋数演算部で演算した予約数Ｚ１、Ｚ２、・・・、Ｚｎのうち繁忙日用部屋Ｒが最低予約数である状態の契約部屋所有者が１人の場合には、当該契約部屋所有者が仮想的に所有する繁忙日部屋Ｒに予約があったものとして上記契約部屋所有者Ｈ’が所有する繁忙日部屋Ｒの予約か、或いは、直接的に上記宿泊施設で受けた繁忙日部屋Ｒの予約の振分処理を行う一方、上記予約部屋数演算部で演算した予約数Ｚ１、Ｚ２、・・・、Ｚｎのうち繁忙日用部屋Ｒが最低予約数である状態の契約部屋所有者が２人以上の場合には、予め決められた優先順位にて選ばれた契約部屋所有者が仮想的に所有する繁忙日部屋Ｒに予約があったものとして上記契約部屋所有者Ｈ’が所有する繁忙日部屋Ｒの予約か、或いは、直接的に上記宿泊施設で受けた繁忙日部屋Ｒの予約の振分処理を行い、上記振分開始判定部が上記部屋振分開始状態Ｂでないと判定した際、繁忙日部屋Ｒにおける予約の振分処理を行わないよう構成されていることを特徴とする。
【００１５】
第６の発明では、第１から第５のいずれか１つの発明において、上記予約振分処理部が予約振分処理を行った際、上記各契約部屋所有者のうちの予約が振り分けられた側の所有者及び振り分ける側の所有者の少なくとも一方の情報処理端末に予約振分処理が行われた通知を行う予約振分通知部を備えていることを特徴とする。
【発明の効果】
【００１６】
第１の発明では、宿泊施設の所有者は、自ら行う集客努力だけでなく、各契約部屋所有者による集客努力により、集客力を上げることができるので、宿泊施設の稼働率を上げることができるとともに、地域の発展に寄与することができる。また、各契約部屋所有者は、その宿泊施設のある地域から離れていてもその地域をアピールし、且つ、自分が所有する情報処理端末において予約を受け取ることにより、宿泊施設における仮想的に所有する部屋の稼働率を上げることができる。したがって、宿泊施設が所在する地域の発展に寄与できるとともに、各契約部屋所有者の自らの努力により利益を得ることができる。もし仮に、仮想的に所有する部屋の稼働率が悪い場合であっても、予約の多い所有者から予約が振り分けられるので、仮想的に所有する部屋の稼働率が極端に悪くなるといったことを避けることができる。例えば、契約部屋所有者の１人が仮想的に所有する部屋の予約枠が設定値に到達するとともにさらに予約を受け取った場合において、他の契約部屋所有者の仮想的に所有する部屋に予約を振り分ける代わりにその部屋の売り上げの一部を受け取る契約を施しておけば、宿泊施設全体の稼働率を上げながら、各契約部屋所有者における利益を追求することができるようになる。一方、直接的に宿泊施設に入る予約を各契約部屋所有者が仮想的に所有する部屋に予約があったものとして順に振り分けるようにすることで、各契約部屋所有者における宿泊施設に対する投資のリスクを最小限に抑えることができる。このように、その宿泊施設の部屋を仮想的に所有する全ての人にとって多くの利益が得られるようになり、投資に対するリスクを最小限に抑えることができる。
【００１７】
第２の発明では、予約が入る毎にその予約を振り分けるシステムに比べて、システムの処理が簡単になるので、当該システムに掛かる負荷を小さくすることができる。
【００１８】
第３の発明では、例えば、提供可能な部屋数Ｎの全てを契約部屋所有者に提供していない場合において、宿泊施設の本所有者自身の利益が少なくなり過ぎるのを防ぐことができるので、各契約部屋所有者だけでなく、本所有者の利益の追求も行うことができる。
【００１９】
第４の発明では、もし仮に、設定値Ｇを利益が出るとされる稼働率に設定しておけば、予約を振り分ける側の契約部屋所有者にも利益が得られるようになる一方、振り分けられる側の契約部屋所有者も予約数が増えるので利益が上がるようになる。したがって、振り分けた側及び振り分けられた側の両方共に利益を追求できる。
【００２０】
第５の発明では、利益の出やすい繁忙日の予約を各契約部屋所有者に偏り無く振り分けるようになるので、各契約部屋所有者間の不公平感を極力少なくしながら全ての契約部屋所有者の利益を追求することができる。
【００２１】
第６の発明では、各契約部屋所有者が予約振分通知部による通知を見ながらリアルタイムに部屋の価格を変動させる等の経営方針の変更が行えるようになるので、各契約部屋所有者による利益を追求するための取り組みがさらに行い易くなる。
【図面の簡単な説明】
【００２２】
【図１】本発明の実施形態１に係る宿泊管理システムを用いたビジネスモデルの概略構成図である。
【図２】本発明の実施形態１に係る宿泊管理システムのブロック図である。
【図３】本発明の実施形態１に係る宿泊管理システムの動作を示すフローチャート図である。
【図４】本発明の実施形態２に係る図３相当図である。
【発明を実施するための形態】
【００２３】
以下、本発明の実施形態を図面に基づいて詳細に説明する。尚、以下の好ましい実施形態の説明は、本質的に例示に過ぎない。
【００２４】
《発明の実施形態１》
図１は、本発明の実施形態１に係る宿泊管理システム１を用いたビジネスモデル１０を示す。該ビジネスモデル１０は、投資のリスクを最小限に抑えながら世界各地に点在する魅力ある地域の活性化を目的として考えられたものであり、図１の場合では、異なる地域Ｒ１〜Ｒ４にそれぞれ存在する各宿泊施設２の所有者が、他の所有者が所有する宿泊施設２の部屋を仮想的に所有する契約を結ぶとともに、例えば、自らが所有する宿泊施設２に来訪する旅行者等に対して仮想的に部屋を所有する宿泊施設２やその宿泊施設２の所在する地域をアピールすることによって仮想的に所有する宿泊施設２の稼働率を上げようとするものである。
【００２５】
尚、以下では、地域Ｒ１に存在する宿泊施設２をゲストハウス２Ａとし、地域Ｒ２に存在する宿泊施設２をビジネスホテル２Ｂとし、地域Ｒ３に存在する宿泊施設２を旅館２Ｃとし、地域Ｒ４に存在する宿泊施設２をペンション２Ｄとして説明する。
【００２６】
また、宿泊管理システム１を用いて上述のビジネスモデル１０を実施するために、ゲストハウス２Ａの所有者は、ビジネスホテル２Ｂの経営者Ｘ１（契約部屋所有者）、旅館２Ｃの経営者Ｘ２（契約部屋所有者）、及び、ペンション２Ｄの経営者Ｘ３（契約部屋所有者）とそれぞれ契約を結んでゲストハウス２Ａの部屋の予約枠をそれぞれ契約に基づいた数だけ提供し、経営者Ｘ１〜Ｘ３にゲストハウス２Ａにおける仮想的な部屋の所有者になってもらう。そして、経営者Ｘ１〜Ｘ３がそれぞれ所有する仮想的な部屋に宿泊があった場合には、ゲストハウス２Ａの本所有者がその宿泊のあった仮想的な部屋を所有する経営者Ｘ１〜Ｘ３に対して売り上げの一部を契約に基づいて支払うものとする。例えば、ビジネスホテル２Ｂの経営者Ｘ１は、ゲストハウス２Ａの所有者からゲストハウス２Ａの部屋の毎月の予約枠（例えば、１０部屋）を所定額（例えば、１５万円）と引き換えに受け取り、１部屋１泊当たりの料金設定を、上記所定額を予約枠数で割った額より大きい金額（例えば、３万円）とすることで、予約枠のうち所定の枠数（例えば、５部屋）に予約数が達するまでは売上額をゲストハウス２Ａ（の所有者）に支払う処理を行い、所定の枠数を上回った場合に、売上額をビジネスホテル２Ｂ（の経営者）に支払う処理を行うことができる。これにより、ゲストハウスの所有者は、部屋の稼働率を上げることができる一方、ゲストハウスの仮想所有者は、自助努力によって宿泊客を送客し、料金設定と予約数に応じて利益を得ることができる。
【００２７】
ゲストハウス２Ａには、インターネットに繋がれた情報処理端末３が配設されている。また、ビジネスホテル２Ｂ、旅館２Ｃ及びペンション２Ｄは、それぞれ情報処理端末４、情報処理端末５及び情報処理端末６を所有している。
【００２８】
情報処理端末３〜６には、上記宿泊管理システム１が組み込まれている。該宿泊管理システム１は、インターネットを介して受け取る予約依頼信号Ｃ１〜Ｃ４に基づいてゲストハウス２Ａにおける各部屋の事前予約状態を管理するようになっている。尚、本発明の実施形態１の場合、予約依頼信号Ｃ１は、ゲストハウス２Ａの情報処理端末３が宿泊者Ｖ１から直接的に受け取った信号とし、予約依頼信号Ｃ２は、ビジネスホテル２Ｂの情報処理端末４が宿泊者Ｖ２から受け取るとともに情報処理端末４からゲストハウス２Ａの情報処理端末３に送られた信号とし、予約依頼信号Ｃ３は、旅館２Ｃの情報処理端末５が宿泊者Ｖ３から受け取るとともに情報処理端末５からゲストハウス２Ａの情報処理端末３に送られた信号とし、予約依頼信号Ｃ４は、ペンション２Ｄの情報処理端末６が宿泊者Ｖ４から受け取るとともに情報処理端末６からゲストハウス２Ａの情報処理端末３に送られた信号とする。
【００２９】
宿泊管理システム１は、図２に示すように、提供部屋数記憶部１ａ、予約部屋数演算部１ｂ、振分開始判定部１ｃ、予約振分処理部１ｄ及び予約振分通知部１ｅを有している。
【００３０】
提供部屋数記憶部１ａは、ゲストハウス２Ａの事前予約において日数Ｐの期間に提供可能な部屋数をＮとした際、ビジネスホテル２Ｂの経営者Ｘ１、旅館２Ｃの経営者Ｘ２及びペンション２Ｄの経営者Ｘ３に対してゲストハウス２Ａの所有者が契約によってそれぞれ仮想的に提供する提供部屋数Ｙ１、Ｙ２、Ｙ３（Ｎ＝Ｙ１＋Ｙ２＋Ｙ３）を記憶するようになっている。
【００３１】
予約部屋数演算部１ｂは、各提供部屋数Ｙ１、Ｙ２、Ｙ３における予約数Ｚ１、Ｚ２、Ｚ３を日数Ｐの期間の初日から順に、または、日数Ｐの期間の所定のタイミングにおいて、それぞれ演算するようになっている。
【００３２】
振分開始判定部１ｃは、所定期間経過時においてゲストハウス２Ａに対する予約依頼信号Ｃ１〜Ｃ４を受け取った際、予め決められた部屋振分開始状態Ａであるか否かを判定するようになっている。
【００３３】
本発明の実施形態１における部屋振分開始状態Ａの１つは、ビジネスホテル２Ｂの経営者Ｘ１、旅館２Ｃの経営者Ｘ２及びペンション２Ｄの経営者Ｘ３の各情報処理端末４〜６を経由してゲストハウス２Ａに対する予約依頼信号Ｃ２〜Ｃ４を受け取るとともに、当該予約依頼信号Ｃ２〜Ｃ４が経由した情報処理端末４〜６を所有する経営者Ｘ１〜Ｘ３の仮想的に所有する部屋が全て埋まっている状態である。つまり、仮想的に所有する部屋の予約数が全て埋まった経営者Ｘ１〜Ｘ３のうちの１人（契約部屋所有者Ｈと呼ぶ）が存在する状態である。
【００３４】
また、本発明の実施形態１における部屋振分開始状態Ａのもう１つは、ビジネスホテル２Ｂの経営者Ｘ１、旅館２Ｃの経営者Ｘ２及びペンション２Ｄの経営者Ｘ３の各情報処理端末４〜６を経由せずに直接的にインターネットを介してゲストハウス２Ａに対する予約依頼信号Ｃ１を受け取った状態である。
【００３５】
予約振分処理部１ｄは、振分開始判定部１ｃが部屋振分開始状態Ａであると判定した際、まず、予約部屋数演算部１ｂで演算した予約数Ｚ１〜Ｚ３のうち最低予約数である状態の経営者Ｘ１〜Ｘ３が１人であるか、２人であるかを判断するようになっている。予約数Ｚ１〜Ｚ３のうち最低予約数である状態の経営者Ｘ１〜Ｘ３が１人である場合には、その経営者が仮想的に所有する部屋に予約があったものとして仮想的に所有する部屋の予約数が全て埋まった経営者Ｘ１〜Ｘ３のうちの１人が所有する予約の振分処理を行うようになっている。
【００３６】
尚、上述の場合においては、予約依頼信号Ｃ２〜Ｃ４が経由した情報処理端末４〜６を所有する経営者Ｘ１〜Ｘ３には、予約が振り分けられた経営者Ｘ１〜Ｘ３から予め契約により決められた手数料を受け取るようにすることで、各経営者Ｘ１〜Ｘ３が享受する利益のバランスが取られるようになっている。
【００３７】
一方、予約数Ｚ１、Ｚ２、Ｚ３のうち最低予約数である状態の経営者Ｘ１〜Ｘ３が２人の場合には、予め決められた優先順位にて選ばれた経営者が仮想的に所有する部屋に予約があったものとして仮想的に所有する部屋の予約数が全て埋まった経営者Ｘ１〜Ｘ３のうちの１人が所有する予約の振分処理を行うようになっている。例えば、ゲストハウス２Ａの本所有者と契約を早く結んだ経営者順や、以前異なる期間において、予約を振り分けてくれた経営者に優先的に振り分けるというように優先順位を予め設定しておく。
【００３８】
一方、予約振分処理部１ｄは、振分開始判定部１ｃが部屋振分開始状態Ａでないと判定した際、予約の振分処理を行わないよう構成されている。すなわち、ビジネスホテル２Ｂの経営者Ｘ１、旅館２Ｃの経営者Ｘ２及びペンション２Ｄの経営者Ｘ３の各情報処理端末４〜６を経由してゲストハウス２Ａに対する予約依頼信号Ｃ２〜Ｃ４を受け取ったが、経営者Ｘ１〜Ｘ３の仮想的に所有する部屋がいまだに全て埋まってない場合には、それぞれの経営者Ｘ１〜Ｘ３が仮想的に所有する部屋に予約が入ったものとするようになっている。
【００３９】
予約振分通知部１ｅは、予約振分処理部１ｄが予約振分処理を行った際、経営者Ｘ１〜Ｘ３のうちの予約が振り分けられた側の経営者と振り分ける側の経営者との両方の情報処理端末に予約振分処理が行われた通知を行うようになっている。
【００４０】
次に、宿泊管理システム１の動作について詳述する。
【００４１】
図３に示すように、まず、ステップＳ１において、ゲストハウス２Ａにおける情報処理端末３が予約依頼信号を受け取るとステップＳ２に進み、情報処理端末３がインターネットを介して直接的に予約依頼信号を受け取ったか否かを判定する。
【００４２】
このステップＳ２の判定がＹＥＳのとき、すなわち、情報処理端末３がビジネスホテル２Ｂ、旅館２Ｃ及びペンション２Ｄの各情報処理端末４〜６を経由せずに直接的にインターネットを介してゲストハウス２Ａに対する予約依頼信号Ｃ１を受け取ったときには、ステップＳ３に進んで予約部屋数演算部１ｂで演算した予約数Ｚ１、Ｚ２、Ｚ３のうち最低予約数である状態の経営者Ｘ１〜Ｘ３が１人であるか、又は、２人以上であるかを判定する。
【００４３】
一方、ステップＳ２の判定がＮＯのとき、すなわち、情報処理端末３がビジネスホテル２Ｂ、旅館２Ｃ及びペンション２Ｄの各情報処理端末４〜６を経由してゲストハウス２Ａに対する予約依頼信号Ｃ２〜Ｃ４を受け取ったときには、ステップＳ４に進む。
【００４４】
上記ステップＳ３の判定がＹＥＳのとき、すなわち、予約数Ｚ１、Ｚ２、Ｚ３のうち最低予約数である状態の経営者Ｘ１〜Ｘ３が１人である場合には、ステップＳ５に進んで最低予約数である状態の経営者Ｘ１〜Ｘ３が所有する仮想的な部屋に予約があったものとして予約が振り分けられて処理が終了する。
【００４５】
一方、ステップＳ３の判定がＮＯのとき、すなわち、予約数Ｚ１、Ｚ２、Ｚ３のうち最低予約数である状態の経営者Ｘ１〜Ｘ３が２人以上である場合には、ステップＳ６に進む。
【００４６】
このステップＳ６では、経営者Ｘ１〜Ｘ３の中において予め決められた優先順位にて選ばれた経営者が仮想的に所有する部屋に予約があったものとして予約が振り分けられて処理が終了する。
【００４７】
上記ステップＳ４では、予約依頼信号Ｃ２〜Ｃ４が経由した情報処理端末４〜６を所有する経営者Ｘ１〜Ｘ３の仮想的に所有する部屋の全てがそれぞれ埋まっているか否かを判定する。
【００４８】
このステップＳ４の判定がＹＥＳのときには、ステップＳ３に進む。
【００４９】
一方、このステップＳ４の判定がＮＯのときには、ステップＳ７に進んで予約の振分処理を行わず、予約依頼信号Ｃ２〜Ｃ４が経由した情報処理端末４〜６を所有する経営者Ｘ１〜Ｘ３の仮想的な部屋に予約があったものとして処理が終了する。
【００５０】
以上より、本発明の実施形態１によると、ゲストハウス２Ａの本所有者は、自ら行う集客努力だけでなく、ビジネスホテル２Ｂ、旅館２Ｃ及びペンション２Ｄの各経営者Ｘ１〜Ｘ３による集客努力により、集客力を上げることができるので、ゲストハウス２Ａの稼働率を上げることができるとともに、ゲストハウス２Ａが所在する地域の発展に寄与することができる。
【００５１】
また、ビジネスホテル２Ｂ、旅館２Ｃ及びペンション２Ｄの各経営者Ｘ１〜Ｘ３は、そのゲストハウス２Ａが所在する地域から離れていてもその地域をアピールし、且つ、自分が所有する情報処理端末４〜６において、例えば、自社のホームページ等を利用して予約を受け取ることでゲストハウス２Ａにおける仮想的に所有する部屋の稼働率を上げることができる。例えば、都心にあるビジネスホテル２Ｂの経営者Ｘ１は、自社のホームページ内にゲストハウス２Ａの紹介ページ及び予約ページを設けることで、宿泊客ユーザは、ゲストハウス２Ａを、ビジネスホテル２Ｂのホームページを介して、ビジネスホテル２Ｂの予約とともにワンストップで予約することができる一方、ビジネスホテル２Ｂにとっても、ゲストハウス２Ａのような、離れた地域に所在する良質な宿泊先のラインナップを提供することができ、顧客ロイヤリティや自社のブランディングの向上を図ることができる。このように、ゲストハウス２Ａが所在する地域の発展に寄与できるとともに、ビジネスホテル２Ｂ、旅館２Ｃ及びペンション２Ｄの各経営者Ｘ１〜Ｘ３の自らの努力により利益を得ることができる。もし仮に、仮想的に所有する部屋の稼働率が悪い場合であっても、予約の多い経営者Ｘ１〜Ｘ３のうちの一人か、或いは、ゲストハウス２Ａの所有者から予約が振り分けられるので、仮想的に所有する部屋の稼働率が極端に悪くなるといったことを避けることができる。例えば、ビジネスホテル２Ｂ、旅館２Ｃ及びペンション２Ｄの各経営者Ｘ１〜Ｘ３の１人が仮想的に所有する部屋の全ての予約枠を埋めてしまうとともにさらに予約を受け取った場合において、他の経営者Ｘ１〜Ｘ３の仮想的に所有する部屋に予約を振り分ける代わりにその部屋の売り上げの一部を受け取る契約を施しておけば、ゲストハウス２Ａ全体の稼働率を上げながら、各経営者Ｘ１〜Ｘ３における利益を追求することができるようになる。
【００５２】
一方、直接的にゲストハウス２Ａに対してなされた予約を各経営者Ｘ１〜Ｘ３が仮想的に所有する部屋に予約があったものとして順に振り分けるようにすることで、各経営者Ｘ１〜Ｘ３におけるゲストハウス２Ａに対する投資のリスクを最小限に抑えることができる。
【００５３】
このように、ゲストハウス２Ａの部屋を仮想的に所有する全ての経営者Ｘ１〜Ｘ３にとって多くの利益が得られるようになり、投資に対するリスクを最小限に抑えることができる。
【００５４】
また、経営者Ｘ１〜Ｘ３は、予約振分通知部１ｅによる通知を見ながらリアルタイムに部屋の価格を変動させる等の経営方針の変更が行えるようになるので、経営者Ｘ１〜Ｘ３による利益を追求するための取り組みがさらに行い易くなる。
【００５５】
尚、本発明の実施形態１では、予約振分処理部１ｄが予約振分処理を行った際、予約振分通知部１ｅは経営者Ｘ１〜Ｘ３のうちの予約が振り分けられた側の経営者と振り分ける側の経営者との両方の情報処理端末に予約振分処理が行われた通知を行うようになっているが、両方の情報処理端末に通知を行うことは必須ではなく、少なくとも一方の情報処理端末に通知を行うようなシステムであってもよい。
【００５６】
また、本発明の実施形態１では、ゲストハウス２Ａ、ビジネスホテル２Ｂ、旅館２Ｃ及びペンション２Ｄの各所有者または経営者Ｘ１〜Ｘ３が所有する情報処理端末が、インターネットを介して予約依頼信号を受け取ることで予約を受け付ける旨記載しているが、予約代行または仲介業者や複数の宿泊施設が利用することを想定した宿泊予約プラットフォームのように、第三者の情報処理端末がゲストハウス２Ａ、ビジネスホテル２Ｂ、旅館２Ｃ及びペンション２Ｄの所有者または経営者のために予約依頼信号を受け取ることとしてもよい。この場合、ゲストハウス２Ａ、ビジネスホテル２Ｂ、旅館２Ｃ及びペンション２Ｄの各所有者または経営者Ｘ１〜Ｘ３は、所有する情報処理端末から第三者の情報処理端末に予約状況を確認したり、第三者の情報処理端末から予約に関連する通知を受け取ったりすることができる。
【００５７】
《発明の実施形態２》
図４は、本発明の実施形態２に係る宿泊管理システム１のブロック図及び動作を示すフローチャート図である。この実施形態２では、予約の処理の仕方が実施形態１と異なるだけでその他は実施形態１と同じであるため、以下、実施形態１と異なる部分のみを説明する。
【００５８】
実施形態２の提供部屋数記憶部１ａは、ゲストハウス２Ａの事前予約において日数Ｐの期間に提供可能な部屋数をＮとした際、ビジネスホテル２Ｂの経営者Ｘ１、旅館２Ｃの経営者Ｘ２及びペンション２Ｄの経営者Ｘ３に対してゲストハウス２Ａの所有者が契約によってそれぞれ仮想的に提供する提供部屋数Ｙ１、Ｙ２、Ｙ３（Ｎ≧Ｙ１＋Ｙ２＋Ｙ３）を記憶するようになっている。
【００５９】
また、実施形態２の提供部屋数記憶部１ａは、各提供部屋数Ｙ１、Ｙ２、Ｙ３の一部の部屋を繁忙日用部屋Ｒに設定可能に構成されている。例えば、Ｙ１＝１０部屋とした際に、その１０部屋のうちの２部屋を繁忙日用部屋Ｒと設定できるようになっている。
【００６０】
実施形態２の振分開始判定部１ｃは、ゲストハウス２Ａに対して予約依頼信号Ｃ１〜Ｃ４を受け取る毎に判定処理を行うのではなく、日数Ｐの期間を経過した際に部屋振分開始状態Ａであるか否かを判定するようになっている。
【００６１】
尚、本発明の実施形態２における部屋振分開始状態Ａは、経営者Ｘ１〜Ｘ３のうちの１人の仮想的に所有する部屋の予約数が予め決められた設定値Ｇ以上になっている状態であり、設定値Ｇには、経営者Ｘ１〜Ｘ３が所望する稼働率がそれぞれ設定されている。
【００６２】
また、実施形態２の振分開始判定部１ｃは、部屋振分開始状態Ａであるか否かを判定した後、さらに仮想的に所有する部屋の繁忙日用部屋Ｒの予約数が予め決められた設定値Ｇ’以上になった経営者Ｘ１〜Ｘ３（以下、契約部屋所有者Ｈ’と呼ぶ）が存在する部屋振分開始状態Ｂであるか否かを判定するようになっている。
【００６３】
実施形態２の予約振分処理部１ｄは、ゲストハウス２Ａに対して直接的に予約依頼信号Ｃ１を受けた際、Ｎ−（Ｙ１＋・・・＋Ｙｎ）＞０の状態であると、予約の振分処理を行わないよう構成されている。つまり、提供可能な部屋数Ｎの全てを経営者Ｘ１〜Ｘ３に提供していない場合、ゲストハウス２Ａに対して直接的に予約依頼信号Ｃ１を受け取っても、予約を振り分けないようになっている。そうすることにより、ゲストハウス２Ａの本所有者自身の利益が少なくなり過ぎるのを防ぐことができ、経営者Ｘ１〜Ｘ３だけでなく、ゲストハウス２Ａの所有者の利益の追求も行うことができるようになっている。
【００６４】
また、実施形態２の予約振分処理部１ｄは、振分開始判定部１ｃが部屋振分開始状態Ｂであると判定した際、予約部屋数演算部１ｂで演算した予約数Ｚ１〜Ｚ３のうち繁忙日用部屋Ｒが最低予約数である状態の経営者Ｘ１〜Ｘ３が１人であるか、２人以上であるかを判断するようになっている。予約数Ｚ１〜Ｚ３のうち繁忙日用部屋Ｒが最低予約数である状態の経営者Ｘ１〜Ｘ３が１人である場合には、その経営者が仮想的に所有する繁忙日用部屋Ｒに予約があったものとして契約部屋所有者Ｈ’が所有する繁忙日用部屋Ｒの予約の振分処理を行うようになっている。
【００６５】
一方、予約数Ｚ１〜Ｚ３のうち繁忙日用部屋Ｒが最低予約数である状態の経営者Ｘ１〜Ｘ３が２人の場合には、予め決められた優先順位にて選ばれた経営者が仮想的に所有する繁忙日用部屋Ｒに予約があったものとして契約部屋所有者Ｈ’が所有する繁忙日用部屋Ｒの予約の振分処理を行うようになっている。
【００６６】
さらに、実施形態２の予約振分処理部１ｄは、振分開始判定部１ｃが部屋振分開始状態Ｂでないと判定した際、繁忙日用部屋Ｒの予約の振分処理を行わないよう構成されている。
【００６７】
次に、実施形態２における宿泊管理システム１の動作について詳述する。
【００６８】
図４に示すように、まず、ステップＳ１において、宿泊管理システム１が稼働し始めてから日数Ｐが経過すると、ステップＳ２に進み、情報処理端末３がインターネットを介して直接的に予約依頼信号を受け取ったか否かを判定する。
【００６９】
上記ステップＳ２の判定がＮＯのとき、すなわち、情報処理端末３がビジネスホテル２Ｂ、旅館２Ｃ及びペンション２Ｄの各情報処理端末４〜６を経由せずに直接的にインターネットを介してゲストハウス２Ａに対する予約依頼信号Ｃ１を受け取っていない場合にはステップＳ４に進み、予約部屋数演算部１ｂで演算した予約数Ｚ１、Ｚ２、Ｚ３が予め決められた設定値Ｇ以上になった経営者Ｘ１〜Ｘ３が居るか否かを判定する。
【００７０】
ステップＳ４の判定がＹＥＳのとき、ステップＳ５に進み、予約部屋数演算部１ｂで演算した予約数Ｚ１、Ｚ２、Ｚ３のうち繁忙日用部屋Ｒの予約数が予め決められた設定値Ｇ’以上になった経営者Ｘ１〜Ｘ３が居るか否かを判定する。
【００７１】
ステップＳ５の判定がＹＥＳのとき、ステップＳ８に進み、予約部屋数演算部１ｂで演算した予約数Ｚ１、Ｚ２、Ｚ３のうち繁忙日用部屋Ｒの最低予約数である状態の経営者Ｘ１〜Ｘ３が１人であるか、又は、２人以上であるかを判定する。
【００７２】
ステップＳ８の判定がＹＥＳの場合、すなわち、予約数Ｚ１、Ｚ２、Ｚ３のうち最低予約数である状態の経営者Ｘ１〜Ｘ３が１人である場合には、ステップＳ１２に進み、繁忙日用部屋Ｒの最低予約数である状態の経営者Ｘ１〜Ｘ３が所有する仮想的な繁忙日用部屋Ｒに予約があったものとして予約が振り分けられた後、ステップＳ４に戻る。
【００７３】
一方、ステップＳ８の判定がＮＯの場合、すなわち、予約数Ｚ１、Ｚ２、Ｚ３のうち最低予約数である状態の経営者Ｘ１〜Ｘ３が２人である場合には、ステップＳ１３に進み、経営者Ｘ１〜Ｘ３の中において予め決められた優先順位にて選ばれた経営者が仮想的に所有する繁忙日用部屋Ｒに予約があったものとして予約が振り分けられた後、ステップＳ４に戻る。
【００７４】
また、上記ステップＳ５の判定がＮＯのとき、すなわち、繁忙日用部屋Ｒの予約数が予め決められた設定値Ｇ’以上になった経営者Ｘ１〜Ｘ３が居ない場合、ステップＳ１０に進み、予約部屋数演算部１ｂで演算した予約数Ｚ１、Ｚ２、Ｚ３のうち最低予約数である状態の経営者Ｘ１〜Ｘ３が１人であるか、又は、２人であるかを判定する。
【００７５】
ステップＳ１０の判定がＹＥＳのとき、すなわち、予約数Ｚ１、Ｚ２、Ｚ３のうち最低予約数である状態の経営者Ｘ１〜Ｘ３が１人である場合には、ステップＳ１４に進んで最低予約数である状態の経営者Ｘ１〜Ｘ３が所有する仮想的な部屋に予約があったものとして予約が振り分けられた後、ステップＳ４に戻る。
【００７６】
一方、ステップＳ１０の判定がＮＯのとき、すなわち、予約数Ｚ１、Ｚ２、Ｚ３のうち最低予約数である状態の経営者Ｘ１〜Ｘ３が２人である場合には、ステップＳ１５に進んで経営者Ｘ１〜Ｘ３の中において予め決められた優先順位にて選ばれた経営者が仮想的に所有する部屋に予約があったものとして予約が振り分けられた後、ステップＳ４に戻る。
【００７７】
ステップＳ４において、予約部屋数演算部１ｂで演算した予約数Ｚ１、Ｚ２、Ｚ３が予め決められた設定値Ｇ以上になった経営者Ｘ１〜Ｘ３が居ないと判定されると、ステップＳ６に進み、予約部屋数演算部１ｂで演算した予約数Ｚ１、Ｚ２、Ｚ３のうち繁忙日用部屋Ｒの予約数が予め決められた設定値Ｇ’以上になった経営者Ｘ１〜Ｘ３が居るか否かを判定する。
【００７８】
ステップＳ６の判定がＹＥＳのとき、ステップＳ９に進み、予約部屋数演算部１ｂで演算した予約数Ｚ１、Ｚ２、Ｚ３のうち繁忙日用部屋Ｒの最低予約数である状態の経営者Ｘ１〜Ｘ３が１人であるか、又は、２人であるかを判定する。
【００７９】
ステップＳ９の判定がＹＥＳの場合には、ステップＳ１２に進んだ後、ステップＳ４に戻る処理がなされる一方、ステップＳ９の判定がＮＯの場合には、ステップＳ１３に進んだ後、ステップＳ４に戻る処理がなされる。
【００８０】
一方、ステップＳ６の判定がＮＯのとき、すなわち、予約部屋数演算部１ｂで演算した予約数Ｚ１、Ｚ２、Ｚ３のうち繁忙日用部屋Ｒの予約数が予め決められた設定値Ｇ’以上になった経営者Ｘ１〜Ｘ３が居ない場合には、宿泊管理システム１の処理を終了する。
【００８１】
上記ステップＳ２において判定がＮＯである場合、すなわち、日数Ｐの期間において情報処理端末３がビジネスホテル２Ｂ、旅館２Ｃ及びペンション２Ｄの各情報処理端末４〜６を経由せずに直接的にインターネットを介してゲストハウス２Ａに対する予約依頼信号Ｃ１を受け取っている場合には、ステップＳ３に進んでＮ−（Ｙ１＋・・・＋Ｙｎ）＞０、つまり、ゲストハウス２Ａの所有者が日数Ｐの期間に提供可能な部屋数Ｎの全てを経営者Ｘ１〜Ｘ３に提供しているか否かを判定する。
【００８２】
このステップＳ３の判定がＹＥＳのとき、すなわち、数Ｐの期間に提供可能な部屋数Ｎの全てを経営者Ｘ１〜Ｘ３に提供していない場合には、ステップＳ１１に進み、予約を振り分ける処理を行わずに宿泊管理システム１の処理を終了する。
【００８３】
一方、ステップＳ３の判定がＮＯのとき、すなわち、日数Ｐの期間に提供可能な部屋数Ｎの全てを経営者Ｘ１〜Ｘ３に提供している場合には、ステップＳ７に進み、受け取った予約依頼信号Ｃ１が繁忙日の予約か否かを判定する。
【００８４】
このステップＳ７の判定がＹＥＳのとき、すなわち、受け取った予約依頼信号Ｃ１が繁忙日の予約の場合には、ステップＳ８に進み、経営者Ｘ１〜Ｘ３に繁忙日用部屋Ｒの予約を振り分けるようにする。
【００８５】
一方、ステップＳ７の判定がＮＯのとき、すなわち、受け取った予約依頼信号Ｃ１が繁忙日の予約でない場合には、ステップＳ１０に進み、経営者Ｘ１〜Ｘ３に繁忙日用部屋Ｒ以外の予約を振り分けるようにする。
【００８６】
以上より、本発明の実施形態２によると、振分開始判定部１ｃが日数Ｐの期間を経過したときに初めて部屋振分開始状態Ａであるか否かを判定するようになっているので、予約が入る毎にその予約を振り分けるシステムに比べて、システムの処理が簡単になるので、当該システムに掛かる負荷を小さくすることができる。
【００８７】
また、提供可能な部屋数Ｎの全てを経営者Ｘ１〜Ｘ３に提供していない場合、予約を振り分けないので、ゲストハウス２Ａの所有者自身の利益が少なくなり過ぎるのを防ぐことができ、経営者Ｘ１〜Ｘ３だけでなく本所有者の利益の追求も行うことができる。
【００８８】
また、予約を振り分けるか否かを決める設定値Ｇを利益が出るとされる稼働率に設定しているので、予約を振り分ける側の経営者Ｘ１〜Ｘ３にも利益が得られるようになる一方、振り分けられる側の経営者Ｘ１〜Ｘ３も予約数が増えるので利益が上がるようになる。したがって、振り分けた側及び振り分けられた側の両方共に利益を追求できる。
【００８９】
さらに、各宿泊施設で受け取った予約依頼信号Ｃ１〜Ｃ４が利益の出やすい繁忙日に係るものであった場合には、当該各予約を経営者Ｘ１〜Ｘ３に偏り無く振り分けるようになるので、経営者Ｘ１〜Ｘ３間の不公平感を極力少なくしながら全ての経営者Ｘ１〜Ｘ３の利益を追求することができる。
【００９０】
尚、本発明の実施形態１，２では、ゲストハウス２Ａの情報処理端末３に宿泊管理システム１を組み込んでいるが、例えば、ビジネスホテル２Ｂの情報処理端末４に宿泊管理システム１を組み込んでも良い。そして、ビジネスホテル２Ｂの本所有者が、ゲストハウス２Ａ、旅館２Ｃ及びペンション２Ｄの経営者とそれぞれ契約を結んでビジネスホテル２Ｂの部屋の予約枠を各経営者に提供することにより、ビジネスホテル２Ｂが所在する地域の活性化をも達成することができる。
【００９１】
また、本発明の実施形態１，２では、ゲストハウス２Ａの本所有者がビジネスホテル２Ｂ、旅館２Ｃ及びペンション２Ｄという３つの宿泊施設２の経営者Ｘ１〜Ｘ３に仮想的に部屋を提供しているが、それ以上の数の経営者に部屋を仮想的に提供してもよい。
【００９２】
また、本発明の実施形態１，２では、ゲストハウス２Ａの本所有者が他の宿泊施設２の経営者に部屋を仮想的に提供しているが、部屋を仮想的に提供する相手は宿泊施設２の経営者でなくてもよい。例えば、タレント、俳優、歌手等の有名人や有名企業のように、潜在的な宿泊者ユーザを、自身のホームページ等を介して集客することができる人物や組織としてもよい。
【産業上の利用可能性】
【００９３】
本発明は、インターネットを介して受け取る予約依頼信号に基づいて宿泊施設における各部屋の事前予約状態を管理する宿泊管理システムに適している。
【符号の説明】
【００９４】
１            宿泊管理システム
１ａ          提供部屋数記憶部
１ｂ          予約部屋数演算部
１ｃ          振分開始判定部
１ｄ          予約振分処理部
１ｅ          予約振分通知部
２            宿泊施設
２Ａ          ゲストハウス
２Ｂ          ビジネスホテル
２Ｃ          旅館
２Ｄ          ペンション
３〜６        情報処理端末
Ａ            部屋振分開始状態
Ｎ            ゲストハウスにて提供可能な部屋数
Ｐ            日数
Ｒ            繁忙日用部屋
Ｘ１〜Ｘ３    経営者（契約部屋所有者）
Ｙ１〜Ｙ３    提供部屋数
Ｚ１〜Ｚ３    予約数
【図１】
2020021475.tif 000003
【図２】
2020021475.tif 000004
【図３】
2020021475.tif 000005
【図４】
2020021475.tif 000006